(57)【要約】【課題】視野角が改善されると共に各視野方位毎の色相の変化が抑制された高表示品位の液晶表示素子を提供する。【解決手段】一対の基板間に液晶をホモジニアス配向させて封入してなる液晶セル１の表示の観察側となる前側外面に、前位相板２がその遅相軸２ａを対応する前側の基板の水平配向膜に施された配向処理方向１６ａに直交させて設置され、その前側に前偏光板３がその透過軸３ａを遅相軸２ａに−４５°±５°で交差させて設置されている。液晶セル１の後側外面に視野角補償フィルム４がその配向軸４ａを対応する後側の基板の水平配向膜に施された配向処理方向１９ａに平行にして設置され、その後側に後位相板５がその遅相軸５ａを配向軸４ａに平行にして設置され、さらにその後側に後偏光板６がその透過軸６ａを遅相軸５ａに−４５°±５°で交差させて設置されている。【選択図】      図１
2006309192.tif 000002
【特許請求の範囲】
【請求項１】
少なくとも１つの第１の電極が形成された第１の基板と、
前記第１の基板の前記第１の電極が形成された面に対向して配置され、前記第１の基板と対向する面に、前記第１の電極と対向する少なくとも１つの第２の電極が形成された第２の基板と、
前記第１の基板の前記第１の電極が形成された内面に、予め定めた第１の方向に配向処理が施された第１の配向膜と、
前記第２の基板の前記第２の電極が形成された内面に、前記第１の方向に対して実質的に平行で且つ逆方向に配向処理が施された第２の配向膜と、
前記第１の配向膜と前記第２の配向膜との間に挟持され、前記第１、第２の電極間に電界が印加されないときに、液晶分子が前記第１、第２の配向膜の配向処理にしたがって実質的に捩れの無いホモジニアス配向で配列し、波長がλの透過光に対して実質的にλ／２のリタデーションを生じさせる液晶層と、
互いに対向配置された前記第１、第２の基板の前記第１の基板より外側に配置され、前記第１、第２の対向する内面に施された配向処理の第１の方向に対して、実質的に４５°で交差する方向に透過軸又は吸収軸のいずれか一方の光学軸を実質的に一致させて配置された第１の偏光板と、
互いに対向配置された前記第１、第２の基板の前記第２の基板より外側に配置され、前記第１の偏光板の光学軸に透過軸又は吸収軸のいずれか一方の光学軸を実質的に直交させて配置された第２の偏光板と、
前記第１の偏光板と前記第１の基板の間、及び前記第２の偏光板と前記第２の基板の間の少なくとも一方に、そのフィルム面と平行な平面内において最も屈折率が小さい方向となる光学軸を前記第１の方向と平行に、かつ隣接する側の基板の配向膜に施された配向処理と同じ向きにして配置された少なくとも１つのディスコティック液晶からなる視野角補償フィルムと、
前記第１の偏光板と前記第１の基板の間、及び前記第２の偏光板と前記第２の基板の間の少なくとも一方に、その板面と平行な平面内において屈折率が最も大きい方向となる遅相軸または屈折率が最も小さい方向となる進相軸のいずれか一方を隣接する側の基板の配向膜に施された配向処理と実質的に直交させて配置された少なくとも１つの位相板とを、備えることを特徴とする液晶表示素子。
【請求項２】
互いに対向配置された前記第１、第２の基板の、前記第１の基板とその外側に配置された第１の偏光板の間に、その光学軸を前記第１の配向膜を配向処理した第１の方向と平行でかつ同じ向きに配置したディスコティック液晶からなる第１の視野角補償フィルムと、
前記第１の視野角補償フィルムと前記第１の偏光板との間に、その板面と平行な平面内において屈折率が最も大きい方向となる遅相軸を前記第１の方向と平行にして配置され、光学的に２つの軸を有する第１の二軸性位相板と、
前記第２の基板とその外側に配置された第２の偏光板との間に、遅相軸を前記第１の方向と直交させて配置され、光学的に１つの軸を有する１枚の一軸性位相板とを、
備えることを特徴とする請求項１に記載の液晶表示素子。
【請求項３】
前記二軸性位相板の赤、緑、青の各波長光毎の屈折率異方性Δｎr 、Δｎg 、Δｎb は、それらの比Δｎb ／Δｎg の値が１．００〜１．１０の範囲に、比Δｎr ／Δｎg の値が０．９０〜１．００の範囲に、
前記一軸性位相板の赤、緑、青の各波長光毎の屈折率異方性Δｎr 、Δｎg 、Δｎb は、それらの比Δｎb ／Δｎg の値が０．９５〜１．０５の範囲に、比Δｎr ／Δｎg の値が０．９５〜１．０５の範囲に、
前記液晶層の屈折率異方性Δｎと層厚ｄの積Δｎ・ｄは、その値が２８０ｎｍ〜３６０ｎｍの範囲に、それぞれ設定されていることを特徴とする請求項２に記載の液晶表示素子。
【請求項４】
前記一軸性位相板の緑色光に対する面内位相差は１１５ｎｍ〜１５５ｎｍの範囲に、前記二軸性位相板の緑色光に対する面内位相差は前記一軸性位相差の緑色光に対する面内位相差よりも１５ｎｍ〜５５ｎｍ小さい６０ｎｍ〜１４０ｎｍの範囲に、それぞれ設定され、
前記二軸性位相板の板面と平行な平面内において互いに直交する２方向の屈折率ｎｘ、ｎｙと板面に垂直な方向の屈折率ｎｚが
−０．４≦（ｎｘ−ｎｚ）／（ｎｘ−ｎｙ）≦０．６
を満たす範囲にそれぞれ設定されていることを特徴とする請求項３に記載の液晶表示素子。
【請求項５】
前記第２の基板とその外側に配置された第２の偏光板の間に、ディスコティック液晶からなり、その光学軸を前記第２の配向膜を配向処理した方向と平行でかつ同じ向きに配置した第２の視野角補償フィルムを、さらに備えることを特徴とする請求項２に記載の液晶表示素子。
【請求項６】
前記二軸性位相板の赤、緑、青の各波長光毎の屈折率異方性Δｎr 、Δｎg 、Δｎb は、それらの比Δｎb ／Δｎg の値が１．００〜１．１０の範囲に、比Δｎr ／Δｎg の値が０．９０〜１．００の範囲に、
前記一軸性位相板の赤、緑、青の各波長光毎の屈折率異方性Δｎr 、Δｎg 、Δｎb は、それらの比Δｎb ／Δｎg の値が０．８５〜０．９５の範囲に、比Δｎr ／Δｎg の値が１．００〜１．１０の範囲に、
前記液晶層の屈折率異方性Δｎと層厚ｄの積Δｎ・ｄは、その値が２８０ｎｍ〜３６０ｎｍの範囲に、それぞれ設定されていることを特徴とする請求項５に記載の液晶表示素子。
【請求項７】
前記二軸性位相板及び前記一軸性位相板の緑色光に対する面内位相差Ｒｅは、その値が１１５ｎｍ〜１５５ｎｍの範囲に、
前記二軸性位相板の板面と平行な平面内において互いに直交する２方向の屈折率ｎｘ、ｎｙと板面に垂直な方向の屈折率ｎｚが
−０．４≦（ｎｘ−ｎｚ）／（ｎｘ−ｎｙ）≦０．６
を満たす範囲に、それぞれ設定されていることを特徴とする請求項６に記載の液晶表示素子。
【請求項８】
前記第１の二軸性位相板と前記第１の偏光板との間に、その板面と平行な平面内において屈折率が最も大きい方向となる遅相軸を前記第１の二軸性位相板の遅相軸に対して実質的に４５°の角度で交差する方向に向けて配置され、光学的に２つの軸を有する第２の二軸性位相板を、さらに備えることを特徴とする請求項２に記載の液晶表示素子。
【請求項９】
前記第１の二軸性位相板及び前記第２の二軸性位相板における赤、緑、青の各波長光毎の屈折率異方性Δｎr 、Δｎg 、Δｎb は、それらの比Δｎb ／Δｎg の値が１．００〜１．１０の範囲に、比Δｎr ／Δｎg の値が０．９０〜１．００の範囲に、
前記一軸性位相板の赤、緑、青の各波長光毎の屈折率異方性Δｎr 、Δｎg 、Δｎb は、それらの比Δｎb ／Δｎg の値が０．９５〜１．０５の範囲に、比Δｎr ／Δｎg の値が０．９５〜１．０５の範囲に、
前記液晶層の屈折率異方性Δｎと層厚ｄの積Δｎ・ｄは、その値が２８０ｎｍ〜３６０ｎｍの範囲に、それぞれ設定されていることを特徴とする請求項２に記載の液晶表示素子。
【請求項１０】
前記第１、第２の基板の各電極が対向する画素部毎に互いに異なる波長光を選択透過させる複数色のカラーフィルタがそれぞれ配設され、異なる色のカラーフィルタに対応する画素部毎に液晶層厚がそれぞれ異なる値に設定されていることを特徴とする請求項１乃至請求項９のうちの何れかの請求項に記載の液晶表示素子。
【請求項１１】
少なくとも１つの第１の電極が形成された第１の基板と、
前記第１の基板の前記第１の電極が形成された面に対向して配置され、前記第１の基板と対向する面に、前記第１の電極と対向する少なくとも１つの第２の電極が形成された第２の基板と、
前記第１の基板の前記第１の電極が形成された内面に、予め定めた第１の方向に配向処理が施された第１の配向膜と、
前記第２の基板の前記第２の電極が形成された内面に、前記第１の方向に対して実質的に平行で且つ逆方向の第２の方向に配向処理が施された第２の配向膜と、
前記第１の配向膜と前記第２の配向膜との間に挟持され、前記第１、第２の電極間に電界が印加されないときに、液晶分子が前記第１、第２の配向膜の配向処理にしたがって実質的に捩れの無いホモジニアス配向で配列し、波長がλの透過光に対して実質的にλ／２のリタデーションを生じさせる液晶層と、
前記第１の基板より外側に配置され、前記第１の基板の第１の配向膜に施された配向処理の第１の方向に対して、実質的に４５°で交差する方向に透過軸を実質的に一致させて配置された第１の偏光板と、
前記第２の基板より外側に配置され、前記第１の偏光板の光学軸に透過軸を実質的に直交させて配置された第２の偏光板と、
前記第１の偏光板と前記第１の基板の間に、そのフィルム面と平行な平面内において最も屈折率が小さい方向となる光学軸を前記第１の方向と平行、かつ同じ向きにして配置されたディスコティック液晶からなる第１の視野角補償フィルムと、
前記第２の偏光板と前記第２の基板の間に、そのフィルム面と平行な平面内において最も屈折率が小さい方向となる光学軸を前記第２の方向と平行に、かつ同じ向きにして配置されたディスコティック液晶からなる第２の視野角補償フィルムと、
前記第１の偏光板と前記第１の視野角補償フィルムの間に、その板面と平行な平面内において屈折率が最も大きい方向となる遅相軸を第１の配向膜に施された配向処理の第１の方向と実質的に平行に配置された第１の位相板と、
前記第２の偏光板と前記第２の視野角補償フィルムの間に、その板面と平行な平面内において屈折率が最も大きい方向となる遅相軸を第２の配向膜に施された配向処理の前記第２の方向と実質的に直交させて配置された第２の位相板とを、備えることを特徴とする液晶表示素子。
【請求項１２】
前記第１の位相板は、緑色波長光に対する面内位相差が１１５ｎｍ〜１５５ｎｍの範囲に設定された二軸性位相板であることを特徴とする請求項１１に記載の液晶表示素子。
【請求項１３】
前記第２の位相板は、緑色波長光に対する面内位相差が１１５ｎｍ〜１５５ｎｍの範囲に設定された一軸性位相板であることを特徴とする請求項１１に記載の液晶表示素子。
【請求項１４】
少なくとも１つの第１の電極が形成された第１の基板と、
前記第１の基板の前記第１の電極が形成された面に対向して配置され、前記第１の基板と対向する面に、前記第１の電極と対向する少なくとも１つの第２の電極が形成された第２の基板と、
前記第１の基板の前記第１の電極が形成された内面に、予め定めた第１の方向に配向処理が施された第１の配向膜と、
前記第２の基板の前記第２の電極が形成された内面に、前記第１の方向に対して実質的に平行で、且つ逆方向の第２の方向に配向処理が施された第２の配向膜と、
前記第１の配向膜と前記第２の配向膜との間に挟持され、前記第１、第２の電極間に電界が印加されないときに、液晶分子が前記第１、第２の配向膜の配向処理にしたがって実質的に捩れの無いホモジニアス配向で配列し、波長がλの透過光に対して実質的にλ／２のリタデーションを生じさせる液晶層と、
前記第１の基板より外側に配置され、前記第１の基板の第１の配向膜に施された配向処理の第１の方向に対して、実質的に４５°で交差する方向に透過軸を実質的に一致させて配置された第１の偏光板と、
前記第２の基板より外側に配置され、前記第１の偏光板の透過軸に対して透過軸を実質的に直交させて配置された第２の偏光板と、
前記第１の偏光板と前記第１の基板の間に、そのフィルム面と平行な平面内において最も屈折率が小さい方向となる光学軸を前記第１の方向と平行に、かつ同じ向きにして配置されたディスコティック液晶からなる第１の視野角補償フィルムと、
前記第１の偏光板と前記第１の視野角補償フィルムの間に、その板面と平行な平面内において屈折率が最も大きい方向となる遅相軸を第１の配向膜に施された配向処理の第１の方向と実質的に平行に配置された第１の位相板と、
前記第２の偏光板と前記第２の基板の間に、その板面と平行な平面内において屈折率が最も大きい方向となる遅相軸を前記第２の配向膜に施された配向処理の第２の方向と実質的に直交させて配置された第２の位相板と、
前記第１の偏光板と前記第１の位相板の間に、その板面と平行な平面内において屈折率が最も大きい方向となる遅相軸を第１の偏光板の透過軸と直交させて配置された第３の位相板とを、備えることを特徴とする液晶表示素子。
【請求項１５】
前記第３の位相板は、緑色波長光に対する面内位相差が１１５ｎｍ〜１５５ｎｍの範囲に設定された二軸性位相板であることを特徴とする請求項１４に記載の液晶表示素子。
【請求項１６】
前記二軸性位相板の板面と平行な平面内において互いに直交する２方向の屈折率ｎｘ、ｎｙと板面に垂直な方向の屈折率ｎｚは、（ｎｘ−ｎｚ）／（ｎｘ−ｎｙ）の値が−０．４〜０．６の範囲を満たす値に設定されていることを特徴とする請求項１５に記載の液晶表示素子。
【発明の詳細な説明】
【技術分野】
【０００１】
本発明は、液晶分子がホモジニアス配向した液晶層を有する液晶表示素子に関する。
【背景技術】
【０００２】
従来、液晶表示素子の視野角特性を改善するため、特許文献１に示されるように、ディスコティック液晶により形成された視野角補償フィルムが用いられている。
【特許文献１】特開２００４−３３４０１０号公報
【発明の開示】
【発明が解決しようとする課題】
【０００３】
しかし、上記ディスコティック液晶により形成された視野角補償フィルムを用いた場合、表示面の左右横方向及び上下縦方向の各視野方位においてコントラストが向上し視野角が改善されるものの、一つの色の色相が各視野方位毎に変化する（以下、視野方位毎の色相ズレという）という問題が発生する。すなわち、例えば白表示において、その色度が上下、左右、それぞれの視野方位毎に異なってしまう。
【０００４】
本発明の目的は、視野角が改善されると共に各視野方位毎の色相の変化を抑制した高表示品位の液晶表示素子を提供することである。
【課題を解決するための手段】
【０００５】
本発明の第１の観点による液晶表示素子は、
少なくとも１つの第１の電極が形成された第１の基板と、
前記第１の基板の前記第１の電極が形成された面に対向して配置され、前記第１の基板と対向する面に、前記第１の電極と対向する少なくとも１つの第２の電極が形成された第２の基板と、
前記第１の基板の前記第１の電極が形成された内面に、予め定めた第１の方向に配向処理が施された第１の配向膜と、
前記第２の基板の前記第２の電極が形成された内面に、前記第１の方向に対して実質的に平行で且つ逆方向に配向処理が施された第２の配向膜と、
前記第１の配向膜と前記第２の配向膜との間に挟持され、前記第１、第２の電極間に電界が印加されないときに、液晶分子が前記第１、第２の配向膜の配向処理にしたがって実質的に捩れの無いホモジニアス配向で配列し、波長がλの透過光に対して実質的にλ／２のリタデーションを生じさせる液晶層と、
互いに対向配置された前記第１、第２の基板の前記第１の基板より外側に配置され、前記第１、第２の対向する内面に施された配向処理の第１の方向に対して、実質的に４５°で交差する方向に透過軸又は吸収軸のいずれか一方の光学軸を実質的に一致させて配置された第１の偏光板と、
互いに対向配置された前記第１、第２の基板の前記第２の基板より外側に配置され、前記第１の偏光板の光学軸に透過軸又は吸収軸のいずれか一方の光学軸を実質的に直交させて配置された第２の偏光板と、
前記第１の偏光板と前記第１の基板の間、及び前記第２の偏光板と前記第２の基板の間の少なくとも一方に、そのフィルム面と平行な平面内において最も屈折率が小さい方向となる光学軸を前記第１の方向と平行に、かつ隣接する側の基板の配向膜に施された配向処理と同じ向きにして配置された少なくとも１つのディスコティック液晶からなる視野角補償フィルムと、
前記第１の偏光板と前記第１の基板の間、及び前記第２の偏光板と前記第２の基板の間の少なくとも一方に、その板面と平行な平面内において屈折率が最も大きい方向となる遅相軸または屈折率が最も小さい方向となる進相軸のいずれか一方を隣接する側の基板の配向膜に施された配向処理と実質的に直交させて配置された少なくとも１つの位相板とを、備えることを特徴とするものである。
【０００６】
また、本発明の第２の観点による液晶表示素子は、
少なくとも１つの第１の電極が形成された第１の基板と、
前記第１の基板の前記第１の電極が形成された面に対向して配置され、前記第１の基板と対向する面に、前記第１の電極と対向する少なくとも１つの第２の電極が形成された第２の基板と、
前記第１の基板の前記第１の電極が形成された内面に、予め定めた第１の方向に配向処理が施された第１の配向膜と、
前記第２の基板の前記第２の電極が形成された内面に、前記第１の方向に対して実質的に平行で、且つ逆方向の第２の方向に配向処理が施された第２の配向膜と、
前記第１の配向膜と前記第２の配向膜との間に挟持され、前記第１、第２の電極間に電界が印加されないときに、液晶分子が前記第１、第２の配向膜の配向処理にしたがって実質的に捩れの無いホモジニアス配向で配列し、波長がλの透過光に対して実質的にλ／２のリタデーションを生じさせる液晶層と、
前記第１の基板より外側に配置され、前記第１の基板の第１の配向膜に施された配向処理の第１の方向に対して、実質的に４５°で交差する方向に透過軸を実質的に一致させて配置された第１の偏光板と、
前記第２の基板より外側に配置され、前記第１の偏光板の光学軸に透過軸を実質的に直交させて配置された第２の偏光板と、
前記第１の偏光板と前記第１の基板の間に、そのフィルム面と平行な平面内において最も屈折率が小さい方向となる光学軸を前記第１の方向と平行、かつ同じ向きにして配置されたディスコティック液晶からなる第１の視野角補償フィルムと、
前記第２の偏光板と前記第２の基板の間に、そのフィルム面と平行な平面内において最も屈折率が小さい方向となる光学軸を前記第２の方向と平行に、かつ同じ向きにして配置されたディスコティック液晶からなる第２の視野角補償フィルムと、
前記第１の偏光板と前記第１の視野角補償フィルムの間に、その板面と平行な平面内において屈折率が最も大きい方向となる遅相軸を第１の配向膜に施された配向処理の第１の方向と実質的に平行に配置された第１の位相板と、
前記第２の偏光板と前記第２の視野角補償フィルムの間に、その板面と平行な平面内において屈折率が最も大きい方向となる遅相軸を第２の配向膜に施された配向処理の前記第２の方向と実質的に直交させて配置された第２の位相板とを、備えることを特徴とするものである。
【０００７】
さらに、本発明の第３の観点による液晶表示素子は、
少なくとも１つの第１の電極が形成された第１の基板と、
前記第１の基板の前記第１の電極が形成された面に対向して配置され、前記第１の基板と対向する面に、前記第１の電極と対向する少なくとも１つの第２の電極が形成された第２の基板と、
前記第１の基板の前記第１の電極が形成された内面に、予め定めた第１の方向に配向処理が施された第１の配向膜と、
前記第２の基板の前記第２の電極が形成された内面に、前記第１の方向に対して実質的に平行で且つ逆方向の第２の方向に配向処理が施された第２の配向膜と、
前記第１の配向膜と前記第２の配向膜との間に挟持され、前記第１、第２の電極間に電界が印加されないときに、液晶分子が前記第１、第２の配向膜の配向処理にしたがって実質的に捩れの無いホモジニアス配向で配列し、波長がλの透過光に対して実質的にλ／２のリタデーションを生じさせる液晶層と、
前記第１の基板より外側に配置され、前記第１の基板の第１の配向膜に施された配向処理の第１の方向に対して、実質的に４５°で交差する方向に透過軸を実質的に一致させて配置された第１の偏光板と、
前記第２の基板より外側に配置され、前記第１の偏光板の透過軸に対して透過軸を実質的に直交させて配置された第２の偏光板と、
前記第１の偏光板と前記第１の基板の間に、そのフィルム面と平行な平面内において最も屈折率が小さい方向となる光学軸を前記第１の方向と平行に、かつ同じ向きにして配置されたディスコティック液晶からなる第１の視野角補償フィルムと、
前記第１の偏光板と前記第１の視野角補償フィルムの間に、その板面と平行な平面内において屈折率が最も大きい方向となる遅相軸を第１の配向膜に施された配向処理の第１の方向と実質的に平行に配置された第１の位相板と、
前記第２の偏光板と前記第２の基板の間に、その板面と平行な平面内において屈折率が最も大きい方向となる遅相軸を前記第２の配向膜に施された配向処理の第２の方向と実質的に直交させて配置された第２の位相板と、
前記第１の偏光板と前記第１の位相板の間に、その板面と平行な平面内において屈折率が最も大きい方向となる遅相軸を第１の偏光板の透過軸と直交させて配置された第３の位相板とを、備えることを特徴とするものである。
【発明の効果】
【０００８】
本発明の第１の観点による液晶表示素子によれば、液晶分子をホモジニアス配向させた液晶セル（以下、ホモジニアス液晶セルという）と視野角補償フィルムを挟んでその両側に、偏光板をその光学軸をホモジニアス液晶セルの配向処理方向に対し４５°で交差させてそれぞれ配置したことにより、入射光を楕円偏光の状態にしてホモジニアス液晶セルを透過させることができ、その結果、視野角補償フィルムを配置したことにより発生し易い視野方位毎の色相ズレの度合いを大幅に緩和することができ、高視野角で色相ズレが抑制された高品位の表示を安定して得ることができる。
【０００９】
また、本発明の第２の観点による液晶表示素子によれば、ホモジニアス液晶セルを挟んでその両側にそれぞれ、ディスコティック液晶からなる視野角補償フィルムと位相板及び偏光板を各光学軸を上述した所定の位置に配置して順次積層設置したから、各視野方位毎の色相ズレが抑えられた高度なカラー表示品質が得られるだけでなく、全視野方位にわたりより高度なコントラストが略均等に得られて視野角が一層広げられる。
【００１０】
さらに、本発明の第３の観点による液晶表示素子によれば、前記第１の観点による液晶表示素子の視野角補償フィルムが配設された側の位相板と偏光板の間に第３の位相板をその透過軸を隣接する偏光板の透過軸に直交させて配設したから、各視野方位毎の色相ズレが抑えられた高度なカラー表示品質が得られるだけでなく、視角方位における中間階調での階調反転の発生がより一層確実に抑制される。
【００１１】
上記第１の観点による液晶表示素子においては、互いに対向配置された前記第１、第２の基板の、前記第１の基板とその外側に配置された第１の偏光板の間に、その光学軸を前記第１の配向膜を配向処理した第１の方向と平行でかつ同じ向きに配置したディスコティック液晶からなる第１の視野角補償フィルムと、前記第１の視野角補償フィルムと前記第１の偏光板との間に、その板面と平行な平面内において屈折率が最も大きい方向となる遅相軸を前記第１の方向と平行にして配置され、光学的に２つの軸を有する第１の二軸性位相板と、前記第２の基板とその外側に配置された第２の偏光板との間に、遅相軸を前記第１の方向と直交させて配置され、光学的に１つの軸を有する１枚の一軸性位相板とを備える構成とすることが好ましい。その場合、前記二軸性位相板の赤、緑、青の各波長光毎の屈折率異方性Δｎr 、Δｎg 、Δｎb は、それらの比Δｎb ／Δｎg の値が１．００〜１．１０の範囲に、比Δｎr ／Δｎg の値が０．９０〜１．００の範囲に、前記一軸性位相板の赤、緑、青の各波長光毎の屈折率異方性Δｎr 、Δｎg 、Δｎb は、それらの比Δｎb ／Δｎg の値が０．９５〜１０．５の範囲に、比Δｎr ／Δｎg の値が０．９５〜１．０５の範囲に、前記液晶層の屈折率異方性Δｎと層厚ｄの積Δｎ・ｄは、その値が２８０ｎｍ〜３６０ｎｍの範囲にそれぞれ設定されていることがより好ましい。これにより、正面コントラストが極めて高く、左右、上下、各視野方位毎の色相の変化が抑制され、最も高いコントラストが得られる視角方位における中間階調における階調反転の発生が有効に抑制される。
【００１２】
さらにその場合、前記一軸性位相板の緑色光に対する面内位相差は１１５ｎｍ〜１５５ｎｍの範囲に、前記二軸性位相板の緑色光に対する面内位相差は前記一軸性位相板の緑色光に対する面内位相差よりも１５ｎｍ〜５５ｎｍ小さい６０ｎｍ〜１４０ｎｍの範囲に、それぞれ設定され、前記二軸性位相板の板面と平行な平面内において互いに直交する２方向の屈折率ｎｘ、ｎｙと板面に垂直な方向の屈折率ｎｚが−０．４≦（ｎｘ−ｎｚ）／（ｎｘ−ｎｙ）≦０．６を満たす値の範囲に、それぞれ設定されていることが好ましく、これにより、視野角特性が全視野方位にわたりより一層均一化される。
【００１３】
液晶層の片側に第１の視野角補償フィルムを配置するとともに両側に二軸性位相板と一軸性位相板をそれぞれ配置した上述の液晶表示素子は、前記第２の基板とその外側に配置された第２の偏光板の間に、その光学軸を前記第２の配向膜を配向処理した方向と平行で、かつ同じ向きに配置したディスコティック液晶からなる第２の視野角補償フィルムをさらに備えることが好ましい。そしてその場合、前記二軸性位相板の赤、緑、青の各波長光毎の屈折率異方性Δｎr 、Δｎg 、Δｎb は、それらの比Δｎb ／Δｎg の値が１．００〜１．１０の範囲に、比Δｎr ／Δｎg の値が０．９０〜１．００の範囲に、前記一軸性位相板の赤、緑、青の各波長光毎の屈折率異方性Δｎr 、Δｎg 、Δｎb は、それらの比Δｎb ／Δｎg の値が０．８５〜０．９５の範囲に、比Δｎr ／Δｎg の値が１．００〜１．１０の範囲に、前記液晶層の屈折率異方性Δｎと層厚ｄの積Δｎ・ｄは、その値が２８０ｎｍ〜３６０ｎｍの範囲にそれぞれ設定されていることがより好ましい。これにより、上述の液晶表示素子により奏される効果に加えて、両側に二軸性位相板と一軸性位相板をそれぞれ配置したために、上下、左右の各視野方位において深い視角での透過率の変化を低減することができ、その結果、視野の範囲が略全視野方位において拡大される。
【００１４】
さらにその場合、前記二軸性位相板及び前記一軸性位相板の緑色光に対する面内位相差Ｒｅは、その値が１１５ｎｍ〜１５５ｎｍの範囲に、前記二軸性位相板の板面と平行な平面内において互いに直交する２方向の屈折率ｎｘ、ｎｙと板面に垂直な方向の屈折率ｎｚが−０．４≦（ｎｘ−ｎｚ）／（ｎｘ−ｎｙ）≦０．６を満たす範囲に、それぞれ設定することが好ましく、これにより視野角特性が全視野方位にわたりより一層均一化される。
【００１５】
また、前述した液晶層の片側に第１の視野角補償フィルムを配置するとともに両側に第１の二軸性位相板と一軸性位相板をそれぞれ配置した液晶表示素子は、前記第１の二軸性位相板と前記第１の偏光板との間に、光学的に２つの軸を有する第２の二軸性位相板が、その板面と平行な平面内において屈折率が最も大きい方向となる遅相軸を前記第１の二軸性位相板の遅相軸に対して実質的に４５°の角度で交差する方向に向けて、さらに配置される構成とすることが好ましく、そしてその場合、前記第１の二軸性位相板及び前記第２の二軸性位相板における赤、緑、青の各波長光毎の屈折率異方性Δｎr 、Δｎg 、Δｎb を、ともに、Δｎb ／Δｎg ＝１．０５±０．０５且つΔｎr ／Δｎg ＝０．９５±０．０５とし、前記一軸性位相板の赤、緑、青の各波長光毎の屈折率異方性Δｎr 、Δｎg 、Δｎb を、Δｎb ／Δｎg ＝１．００±０．０５且つΔｎr ／Δｎg ＝１．００±０．０５とし、前記液晶層の屈折率異方性Δｎと層厚ｄの積Δｎ・ｄを３２０ｎｍ±４０ｎｍとすることがより好ましく、これにより、前述した液晶表示素子により奏される効果に加えて、視角方位である下視野方位（時計の文字盤で表現した場合の６時方位）における中間階調の階調反転の発生をより確実に抑制することができる。
【００１６】
上記第２の観点による液晶表示素子においては、前記第１の位相板が緑色波長光に対する面内位相差が１１５ｎｍ〜１５５ｎｍの範囲に設定された二軸性位相板であることが好ましい。また、前記第２の位相板が緑色波長光に対する面内位相差が１１５ｎｍ〜１５５ｎｍの範囲に設定された一軸性位相板であることが好ましい。このように各位相板の面内位相差を設定することにより、視野角特性が全視野方位にわたりより一層均一化される。
【００１７】
上記第３の観点による液晶表示素子においては、前記第３の位相板が緑色波長光に対する面内位相差が１１５ｎｍ〜１５５ｎｍの範囲に設定された二軸性位相板であることが好ましく、これにより、視野角特性が全視野方位にわたりより一層均一化される。また、二軸性位相板の板面と平行な平面内において互いに直交する２方向の屈折率ｎｘ、ｎｙと板面に垂直な方向の屈折率ｎｚは、（ｎｘ−ｎｚ）／（ｎｘ−ｎｙ）の値が−０．４〜０．６の範囲を満たす値に設定されていることが好ましく、これにより、視角方位における中間階調での階調反転の発生がより一層確実に抑制される。
【００１８】
加えて、本発明は、第１、第２の基板の各電極が対向する画素部毎に互いに異なる波長光を選択透過させる複数色のカラーフィルタが配設されたカラー液晶表示素子に適しており、その場合、異なる色のカラーフィルタに対応する画素部毎に液晶層厚がそれぞれ異なる値に設定されていることが好ましく、これにより、略全視野方位にわたり視野角が広く且つ色相のズレの無い色再現性に優れた良好なカラー表示品質を得ることができる。
【発明を実施するための最良の形態】
【００１９】
（第１実施形態）
図１（ａ）は本発明の第１実施形態としての液晶表示素子の光学構成を示す分解平面図で、図２はその内部構成を拡大して示す模式的断面図である。
【００２０】
本実施形態の液晶表示素子は、アクティブマトリクス方式の液晶表示素子であり、図１（ａ）に示されるように、平面外形が矩形をなす液晶セル１を挟んで表示の観察側となる前側に、同様の矩形をなす前位相板２と前偏光板３がそれぞれ順次配置され、その後側に、同じく矩形をなす視野角補償フィルム４、後位相板５及び後偏光板６がそれぞれ順次配置されてなる。
【００２１】
液晶セル１は、ホモジニアス液晶セルであり、図２に示されるように、一対の前、後ガラス基板１１、１２が、枠状シール材（不図示）により所定の間隙を保ち接合され、これら前後ガラス基板１１、１２間の枠状シール材で囲まれた空間内に液晶分子をホモジニアス配向させて液晶１００が封入されてなる。
【００２２】
接合された一対のガラス基板１１、１２のうちの一方の前ガラス基板１１の対向面（内面）には、画素に対応する複数の開口が１３ａ形成されたブラックマスク１３が設置されている。
【００２３】
ブラックマスク１３の各開口１３ａには、赤、緑、青の３種類のカラーフィルタ１４R 、１４G 、１４B が所定の配置でそれぞれ設置されている。ここで、各カラーフィルタ１４R 、１４G 、１４B は、各開口１３ａよりも全周にわたり適長幅だけ大きい面積を備えており、周縁部をブラックマスク１３の開口縁部に重畳させて設置されている。そして、カラーフィルタ１４R 、１４G 、１４B の各厚さは、各色カラーフィルタ１４R 、１４G 、１４B の配置されたそれぞれの画素における液晶層厚（セルギャップ）ｄr 、ｄg 、ｄb が各透過波長光毎の屈折率異方性の相違をキャンセルできる層厚となるように、各色フィルタ１４R 、１４G 、１４B 毎に異なった値に設定されている。この液晶層厚の最適化構造（以下、マルチギャップ構造という）については、後程詳細に説明する。
【００２４】
厚さがそれぞれ異なる赤、緑、青の各色カラーフィルタ１４R 、１４G 、１４B の表面には、これを一括して覆う一枚膜状の透明導電膜からなる共通電極１５が被着されている。そして、共通電極１５の表面には、液晶分子の配向を規制する前水平配向膜１６が一様に被着されている。この前水平配向膜１６の表面には、図１に示すように、表示面の左右横方向（水平方向）１ｈに対して直交する矢印１６ａ方向に向けてラビング法により配向処理が施されている。
【００２５】
一方、後ガラス基板１２の内面には、透明導電膜からなる複数の画素電極１７がマトリックス状に配置されている。各画素電極１７には、能動素子としての薄膜トランジスタ１８が、それぞれ接続されている。前記各画素電極１７と前記共通電極１５とか互いに対向する領域によってそれぞれ１つの画素が定義され、それぞれの画素が前述したブラックマスク１３の開口１３ａに対応している。そして、全ての画素電極１７や薄膜トランジスタ１８等を覆って後水平配向膜１９が一様に被着されている。この後水平配向膜１９には、図１に示すように、上述した前水平配向膜１６の配向処理方向１６ａに平行で且つ逆方向１９ａに向けて、ラビング法により配向処理が施されている。
【００２６】
上述のように配向処理された前、後水平配向膜１６、１９によって挟持された液晶１００の各液晶分子は、電界が印加されていない初期状態においては、両水平配向膜１６、１９それぞれに施された配向処理方向１６ａ、１９ａの配向規制力を受け、ねじれの無いホモジニアス配向している。
【００２７】
すなわち、各液晶分子は、前、後水平配向膜１６、１９の配向規制力を受け、各配向処理方向１６ａ、１９ａに沿って所定のプレチルト角で傾斜した状態で一方の後水平配向膜１９の表面から他方の前水平配向膜１６の表面に向かって配向方向を揃えて配列している。この液晶表示素子では、その各液晶分子の長軸方向が揃う方向であって白抜き矢印の方向２０で示される方位が、最も良好なコントラストが得られる視角方位である。
【００２８】
上述のように液晶分子がホモジニアス配向した液晶層１００は、屈折率異方性が、透過する光の波長によって変化する波長依存性を有しているため、色再現性の高いカラー表示を行うために、液晶層１００を透過する赤、緑、青の各波長光に対してそれぞれ実質的にλ／２の複屈折作用を与えるように、各色の画素毎に異なる液晶層厚が設定されている。
【００２９】
液晶層１００の複屈折作用は、液晶材料の屈折率異方性Δｎと層厚ｄの積Δｎ・ｄに基づいて発現される。従って、本実施形態の液晶セル１においては、赤、緑、青の各画素毎の液晶層厚ｄr 、ｄg 、ｄb を、各波長光に対する屈折率異方性Δｎに応じ、Δｎ・ｄが２８０ｎｍ〜３６０ｎｍの範囲内となるように設定してある。
【００３０】
すなわち、赤色カラーフィルタ１４R と緑色カラーフィルタ１４G が配設された各画素の液晶層厚ｄr 、ｄg が共に３．８μｍに、青色カラーフィルタ１４B が配設された画素の液晶層厚ｄb が３．６μｍになるように、各色カラーフィルタ１４R 、１４G 、１４B の膜厚が設定されている。
【００３１】
液晶セル１の前ガラス基板１１の外面には、前位相板２が設置されている。この前位相板２は、波長が５４０ｎｍの光（緑色波長光）に対する面内位相差が１３５ｎｍ±２０ｎｍ（１１５ｎｍ〜１５５ｎｍ）の一軸性位相差板で、図１に示されるように、その遅相軸２ａを表示面の左右横方向（以下、単に横方向という）１ｈに平行に位置させて設置されている。従って、遅相軸２ａは、液晶セル１の前水平配向膜に施された配向処理方向１６ａに対して直交している。
【００３２】
ここで、前位相板２の各透過波長光毎の屈折率異方性Δｎは、青色波長光に対する屈折率異方性Δｎb と緑色波長光に対する屈折率異方性Δｎg の比が、
Δｎb ／Δｎg ＝１．００±０．０５
赤色波長光に対する屈折率異方性Δｎr と緑色波長光に対する屈折率異方性Δｎg の比が、
Δｎr ／Δｎg ＝１．００±０．０５
であり、それぞれの屈折率異方性の値は互いに１０％以内で相違している。すなわち、前記一軸性位相板の赤、緑、青の各波長光毎の屈折率異方性Δｎr 、Δｎg 、Δｎb は、それらの比Δｎb ／Δｎg の値が０．９５ｎｍ〜１．０５ｎｍの範囲に、比Δｎr ／Δｎg の値が０．９５ｎｍ〜１．０５ｎｍの範囲に、それぞれ設定されている。
【００３３】
前位相板２の観察側（以下、前側という）には、前偏光板３が設置されている。前偏光板３は、その透過軸３ａを横方向１ｈに対して−４５°（時計回り方向を＋とする）で交差する方向に位置させて設置されている。従って、その吸収軸３ｂは、横方向１ｈに対し＋４５°で交差している。尚、これらの透過軸３ａと吸収軸３ｂの設置角度はそれぞれ±５゜の誤差の範囲を持っている。
【００３４】
一方、液晶セル１の後ガラス基板１２の外面には、視野角補償フィルム４が設置されている。視野角補償フィルム４は、図２に示されるように、透明なフィルム基板４１の一方の面に配向膜４２を形成し、この配向膜４２の表面にディスコティック液晶の層４３が積層されてなる。ディスコティック液晶の層４３では、円板状のディスコティック液晶分子４３ａがその盤面に垂直な各分子軸４３ｂを所定の方向に揃えたまま個々の角度を連続的に変えて傾いた状態に配列しており、各分子軸４３ｂが傾く方向は、配向膜４２に施された配向処理方向に沿った方向である。この場合、配向膜４２に近接するディスコティック液晶分子４３ａはその各分子盤面をフィルム基板４１に略平行に沿わせて配向し、配向膜４２の表面から離れるのに伴ってディスコティック液晶分子４３ａの盤面のフィルム基板４１に対する傾斜角度つまりチルト角度が大きくなっている。つまり、ディスコティック液晶層４３は、各ディスコティック液晶分子４３ａの分子軸４３ｂの傾斜角度を平均した方向に屈折率が最小となる光学軸を持ち、この視野角補償フィルムのフィルム面と平行な面上で屈折率が最小となる方向を配向軸とする負の光学的異方性を発現する。
【００３５】
本実施形態においては、図１に示されるように、視野角補償フィルム４が、その配向軸４ａを横方向１ｈに対して直交する方向に位置させるとともに、その向きを液晶セル１の後水平配向膜に施されている配向処理方向１９ａと同じ向きに揃えて設置されている。
【００３６】
視野角補償フィルム４のさらに後側には、後位相板５が設置されている。この後位相板５は、光学的に２つの軸を有する二軸性位相板で、図１（ａ）に示されるように、その遅相軸５ａを横方向１ｈに直交させて設置されている。従って、遅相軸５ａは、液晶セル１の後水平配向膜に施された配向処理方向１９ａに対して平行である。
【００３７】
ここで、後位相板５の３次元方向の各屈折率ｎｘ、ｎｙ、ｎｚは、
−０．４≦（ｎｘ−ｎｚ）／（ｎｘ−ｎｙ）≦０．１６
の関係を満たすように設定され、且つ、各透過波長光毎の屈折率異方性Δｎは、青色波長光に対する屈折率異方性Δｎb と緑色波長光に対する屈折率異方性Δｎg の比が、
Δｎb ／Δｎg ＝１．０５±０．０５
赤色波長光に対する屈折率異方性Δｎr と緑色波長光に対する屈折率異方性Δｎg の比が、
Δｎr ／Δｎg ＝０．９５±０．０５
に設定されている。すなわち、後位相板５の赤、緑、青の各波長光毎の屈折率異方性Δｎr 、Δｎg 、Δｎb は、それらの比Δｎb ／Δｎg の値が１．００〜１．１０の範囲に、比Δｎr ／Δｎg の値が０．９０〜１．００の範囲に、前記一軸性位相差板の赤、緑、青の各波長光毎の屈折率異方性Δｎr 、Δｎg 、Δｎb は、それらの比Δｎb ／Δｎg の値が０．８５〜０．９５の範囲に、比Δｎr ／Δｎg の値が１．００〜１．１０の範囲に、前記液晶層の屈折率異方性Δｎと層厚ｄの積Δｎ・ｄは、その値が２８０ｎｍ〜３６０ｎｍの範囲にそれぞれ設定されている。
【００３８】
そして、この二軸性位相板の後位相板５における波長が５４０ｎｍの光（緑色波長光）に対する面内位相差は、前述した一軸性位相板の前位相板２における波長が５４０ｎｍの光（緑色波長光）に対する面内位相差よりも３５ｎｍ±２０ｎｍ（１５ｎｍ〜５５ｎｍ）だけ小さい範囲に設定されている。すなわち、前記前位相板２の面内位相差が１１５ｎｍ〜１５５ｎｍに設定されているから、後位相板５の波長が５４０ｎｍの光（緑色波長光）に対する面内位相差は、６０ｎｍ〜１４０ｎｍの範囲に設定される。
【００３９】
後位相板５の後側には、後偏光板６が設置されている。この後偏光板３は、その透過軸６ａを前偏光板３の透過軸３ａに直交させて配置されている。従って、透過軸６ａは、横方向１ｈに対し＋４５°±５°で交差し、後位相板５の遅相軸５ａに対し−４５°±５°で交差している。また、その吸収軸６ｂは、後位相板５の遅相軸５ａに対し＋４５°±５°で交差している。
【００４０】
次に、上述のように構成された本液晶表示素子における作用効果について、主に図１（ｂ）、（ｃ）に基づき説明する。ここで、図１（ｂ）は液晶層に電界が印加されていないオフ時における光学作用を示し、図１（ｃ）は液晶層に充分に大きい電界が印加されたオン時における光学作用を示している。
【００４１】
オフ時においては、図１（ｂ）に示されるように、自然光や光源からの照射光等の非偏光の光１Ｒが後偏光板６を透過し、偏光面が後偏光板６の透過軸６ａに平行な直線偏光Ｐ1 となり、後位相板５に入射する。入射した直線偏光Ｐ1 は、その偏光面が後位相板５の遅相軸５ａに対して４５°で交差しているため、後位相板５による複屈折作用と前記視野角補償フィルム４の複屈折効果により楕円偏光Ｐ2 となり出射する。
【００４２】
視野角補償フィルム４を透過した楕円偏光Ｐ2 は、ホモジニアス液晶セル１を透過する際にその複屈折作用により波長λの１／２分の位相差が付与され、その結果、楕円偏光Ｐ2 の楕円長軸の方向ｓ1 が９０°回転されると共に逆回りの楕円長軸の方向ｓ2 を持った楕円偏光Ｐ3 となって出射する。
【００４３】
楕円偏光Ｐ3 は、前位相板２に対して、その楕円長軸方向を前位相板２の遅相軸２ａに−４５°で交差させた状態で入射し、前位相板２を透過する際にその複屈折作用を受け、楕円偏光Ｐ3 の楕円長軸方向と平行な偏光面を持った直線偏光Ｐ4 となって出射する。
【００４４】
すなわち、直線偏光Ｐ4 の偏光面の方向は、表示面の横方向１ｈに対して−４５°で交差する方向であり、この方向は前偏光板３の透過軸３ａと平行な方向である。従って、直線偏光Ｐ4 は、前偏光板３をそのまま透過し、明表示（白表示）がなされる。
【００４５】
このように、電界オフ時においては、ホモジニアス型液晶セル１が楕円偏光Ｐ2 の楕円長軸の方向を９０°回転させ、かつ逆回りの楕円偏光に変換する複屈折性光学素子として機能し、白表示を行う。このように、この実施形態のホモジニアス型液晶セル１は、楕円偏光を入射して、その楕円偏光の偏光状態を制御するようにしたので、複屈折性の視野方位に対する依存性が緩和され、左右、上下の各視野方位毎の色相の変化が有効に抑制される。
【００４６】
図３（ａ）と図３（ｂ）は、それぞれ、本実施形態の液晶表示素子と、比較例としての液晶表示素子における上下、左右の各視野方位毎の４５°視角での白色と２０％階調灰色及び５０％階調灰色の各色度を示したＣＩＥ色度図である。なお、比較例の液晶表示素子は、図１０に示されるように、液晶分子を９０°にわたりツイスト配向させたＴＮ型液晶セル１０１を挟んでその両側に、ディスコティック液晶からなる前視野角補償フィルム１０２、と後視野角補償フィルム１０３が各配向軸１０２ａ、１０３ａを対応する側の配向膜に施された配向処理方向１０１ａ、１０１ｂに平行に位置させてそれぞれ配置され、さらにその両側に、前、後偏光板１０４、１０５が各透過軸１０４ａ、１０５ａを対応する側の視野角補償フィルム１０２、１０３の各配向軸１０２ａ、１０３ａに直交させて配置されたものである。  
【００４７】
図３（ａ）、（ｂ）から明らかなように、本実施形態の液晶表示素子によれば、上下、左右の各視野方位毎の４５°視角での白色と２０％階調の灰色及び５０％階調の各色度のばらつきが、比較例の液晶表示素子による場合に比べて小さくなっている。その結果、全視野方位にわたり略均等に色相ズレが抑制され、色再現性に優れた高品位のカラー表示が得られる。
【００４８】
一方、暗表示を行うためにホモジニアス型液晶セル１の液晶層１００に充分に電界を印加したオン時においては、液晶層１００の液晶分子が基板垂直方向（電界方向）に立上がり、ホモジニアス型液晶セル１の複屈折性が大略消滅する。
【００４９】
従って、図１（ｃ）に示されるように、オフ時と同様に、非偏光の照射光１Ｒが後偏光板６と後位相板５及び視野角補償フィルム４を順次透過して、長軸偏光面ｓ3 が横方向１ｈに対して４５°で交差する楕円偏光Ｐ2 となり、液晶セル１内に入射する。
【００５０】
このとき、液晶セル１の液晶層１００は電界が印加されて各液晶分子が基板１１、１２面に対して略垂直に立ち上がった配向状態となっているから、入射した楕円偏光Ｐ2 に複屈折作用を及ぼすことはなく、従って、入射した楕円偏光Ｐ2 は偏光状態を実質的に変化させることなく出射する。
【００５１】
液晶セル１を出射した楕円偏光Ｐ2 は、次順の前位相板２を透過する際にその複屈折作用を受け、直線偏光Ｐ5 となって出射する。この出射する直線偏光Ｐ5 の偏光面の方向は、入射楕円偏光Ｐ2 の長軸偏光面ｓ3 と平行な方向、つまり横方向１ｈに対して４５°で交差する方向である。
【００５２】
前位相板２を出射した直線偏光Ｐ5 は、前偏光板３に入射するが、その偏光面の方向は前偏光板３の透過軸３ａに直交する方向、つまりその吸収軸３ｂに平行な方向であるから、ここで吸収されて出射されず、これにより、暗表示（黒表示）がなされる。
【００５３】
このように、電界オン時においては、液晶分子が基板面に略垂直に立ち上がり透過光に対して複屈折作用を及ぼさない配向状態となり、楕円偏光Ｐ2 が液晶セル１を偏光面ｓ3 の方向を変えずに透過することにより、黒表示が得られる。
【００５４】
ところで、液晶分子の立上がり配向状態において、両水平配向膜１６、１９近傍の液晶分子は、中央部の液晶分子に比べて両水平配向膜１６、１９による配向規制力をより強く受けているため、中央部の液晶分子のように垂直に立ち上がることができず、傾斜した状態で配向している。従って、その傾斜配向した液晶分子による複屈折作用（残留リタデーション）を受けた光はその偏光面の方向を変化させるため、前偏光板３で吸収されずに出射し、その結果、黒表示の透過率が上昇しコントラストが低下することになる。
【００５５】
しかし、本実施形態の液晶表示素子においては、ディスコティック液晶からなる視野角補償フィルム４を、その配向軸４ａを液晶分子の配向処理方向１６ａ、１９ａに平行に位置させて設置したから、前記残留リタデーションが有効に補償され、図３に示されるように、オン時（印加電圧が約４．４Ｖ）において透過率が充分に低下し、その結果、正面コントラストが極めて高くなる。
【００５６】
図４は、本液晶表示素子の印加電圧に対する各波長光毎の透過率の変化を示すグラフ図であり、透過率を示す縦軸は対数目盛りとなっている。図１０に示される前記比較例のＴＮ型液晶表示素子による緑色波長光の透過率特性を、二点鎖線で示してある。この透過率特性図から明らかなように、本液晶表示素子では、印加電圧が約４．４Ｖの電界印加時（オン時）における透過率が緑色波長光で０．００２％と、比較例の同印加電圧における透過率の約０．２％に比べて１／１００程度に急激に低下しており、その結果、電界無印加時（オフ時）における透過率は略同じであるから、正面コントラストが約１００倍に上昇している。
【００５７】
以上のように、本実施形態の液晶表示素子においては、視野角補償フィルム４を設置したホモジニアス液晶セル１を挟んでその前後に、前位相板２と前偏光板３及び後位相差５と後偏光板６を、それぞれ各光学軸を４５°で交差させるとともに各偏光板３、６を外側にして配置したことにより、入射光を楕円偏光の状態にしてホモジニアス液晶セルを透過させることができ、その結果、左右、上下、各視野方位毎の色相の変化の度合いを有効に緩和することができ、正面コントラストが高く視野方位毎の色相のずれが抑制された高表示品位を安定して得ることができる。
【００５８】
また、液晶分子の屈折率異方性の波長依存性を緩和するためにホモジニアス液晶セル１と視野角補償フィルム４を挟んで配置される前、後位相板２、５同士のそれぞれの赤、緑、青各波長光毎の屈折率異方性Δｎr 、Δｎg 、Δｎb の比率に応じて、位相板を設置することにより、液晶分子の屈折率異方性の波長依存性に基づく色ずれ等の表示不良を低減することができる。その結果、色再現性及び視野角特性に優れた高品位カラー表示が得られる液晶表示素子を部材コストや製造工数を低減して安価に製造することが可能となる。
【００５９】
更に、ホモジニアス液晶セル１を挟んで配設する前、後位相板２、５のうち、一方の後位相板５を直交する３つの方向の屈折率の比率を予め定めた値の範囲の二軸性位相板としたから、本実施形態の液晶表示素子の視野角が全視野方位にわたり略均等に広げられ、且つ、ホモジニアス液晶セル１を用いるためにより生じ易い視角の方位２０での中間階調における階調の反転の発生が有効に抑制される。
【００６０】
なお、視野角補償フィルム４は、二軸性位相板である後位相板５と同じ側のホモジニアス液晶セル１の後側に配置したが、一軸性位相板の前位相板２と同じ側つまり前位相板２とホモジニアス液晶セル１との間に配置してもよく、このような構成としても奏される効果は変わらない。
【００６１】
（第２実施形態）
次に、本発明の第２実施形態について、図５乃至図７に基づき説明する。なお、上記第１実施形態と同一の構成要素については同一の符号を付して、その説明を省略する。
【００６２】
本実施形態の液晶表示素子は、図５に示されるように、ホモジニアス液晶セル１と視野角補償フィルム４を挟んでその前後最外側に一対の前、後偏光板３、６を配置した構成は、上記第１実施形態と同じであるが、前側にも視野角補償フィルム７を更に追加して配置し、ホモジニアス液晶セル１を一対の前、後視野角補償フィルム７、４で挟み、前偏光板３と前視野角補償フィルム７との間に前位相板８を、後偏光板６と後視野角補償フィルム４との間に後位相板９を、それぞれ設置したものである。なお、ホモジニアス液晶セル１のマルチギャップ構造は第１実施形態の構造と同じであり、赤、緑、青各画素のΔｎ・ｄの値が、２８０ｎｍ〜３６０ｎｍの範囲に設定されている。
【００６３】
追加して設置された前視野角補償フィルム７は、後視野角補償フィルム４と同じディスコティック液晶により形成された視野角補償フィルムであり、その配向軸７ａをホモジニアス液晶セル１の対応する側の水平配向膜に施された配向処理方向ａに平行且つ同じ向きに配置して設置されている。
【００６４】
すなわち、本実施形態においては、一対の前、後視野角補償フィルム７、４が、各配向軸７ａ、４ａをホモジニアス液晶セル１の対応する基板側の配向処理方向１６ａ、１９ａにそれぞれ平行で且つ同じ向きに配置し、ホモジニアス液晶セル１を挟んでその前、後に設置されている。これにより、ホモジニアス液晶セル１のオン時における残留リタデーションが第１実施形態の場合に比べてより確実に補償される。
【００６５】
そして、上述した前、後視野角補償フィルム７、４の配置構成に対応させて、前、後位相板８、９のそれぞれの光学軸配置と面内位相差等が適宜設定される。
【００６６】
すなわち、前位相板８は、緑色波長光に対する面内位相差が１３５ｎｍ±２０ｎｍ（１１５ｎｍ〜１５５ｎｍ）の一軸性位相板で、図５に示されるように、その遅相軸８ａを表示面の横方向１ｈに平行に位置させて設置されている。従って、遅相軸８ａは、液晶セル１の前水平配向膜に施された配向処理方向１６ａに対して直交している。
【００６７】
また、前位相板８の各透過波長光毎の屈折率異方性Δｎは、青色波長光に対する屈折率異方性Δｎb と緑色波長光に対する屈折率異方性Δｎg の比が、
Δｎb ／Δｎg ＝０．９０±０．０５
赤色波長光に対する屈折率異方性Δｎr と緑色波長光に対する屈折率異方性Δｎg の比が、
Δｎr ／Δｎg ＝１．０５±０．０５
に設定されている。
【００６８】
すなわち、前記前位相板８の赤、緑、青の各波長光毎の屈折率異方性Δｎr 、Δｎg 、Δｎb は、それらの比Δｎb ／Δｎg の値が０．８５〜０．９５の範囲に、比Δｎr ／Δｎg の値が１．００〜１．１０の範囲に設定されている。
【００６９】
後位相板９は、緑色波長光に対する面内位相差が１１５ｎｍ〜１５５ｎｍの二軸性位相板で、その遅相軸９ａを表示面の横方向ｈに直交させて、従って、液晶セル１の後水平配向膜に施された配向処理方向１９ａに平行にして、設置されている。この後位相板５は、光学的に２つの軸を有する二軸性位相板で、３次元方向の各屈折率ｎｘ、ｎｙ、ｎｚは、
−０．４≦（ｎｘ−ｎｚ）／（ｎｘ−ｎｙ）≦０．６
の関係を満たすように設定されている。
【００７０】
そして、後位相板９の各透過波長光毎の屈折率異方性Δｎは、青色波長光に対する屈折率異方性Δｎb と緑色波長光に対する屈折率異方性Δｎg の比が、
Δｎb ／Δｎg ＝１．０５±０．０５
赤色波長光に対する屈折率異方性Δｎr と緑色波長光に対する屈折率異方性Δｎg の比が、
Δｎr ／Δｎg ＝０．９５±０．０５
に設定されている。
【００７１】
すなわち、前記後位相板９の赤、緑、青の各波長光毎の屈折率異方性Δｎr 、Δｎg 、Δｎb は、それらの比Δｎb ／Δｎg の値が１．００〜１．１０の範囲に、比Δｎr ／Δｎg の値が０．９０〜１．００の範囲に、設定されている。
【００７２】
以上のように構成された本液晶表示素子では、オン時の液晶層の前、後水平配向膜双方の近接領域において、液晶分子が垂直に立ち上がらず傾斜した配向状態となることによりリタデーションが残留しているが、この液晶層の前後両側の傾斜配向液晶分子による残留リタデーションは、ホモジニアス液晶セル１の前後両側に配置された前、後視野角補償フィルム７、４により確実に補償される。
【００７３】
すなわち、本実施形態では、上述したように、ホモジニアス液晶セル１の前後両側に、ディスコティック液晶からなる前、後視野角補償フィルム７、４が、各配向軸７ａ、４ａを対応する側の配向処理方向１６ａ、１９ａに平行且つ同一の向きに揃えてそれぞれ配置されているから、液晶層の前後両側に残留するリタデーションが対応する前、後視野角補償フィルム７、４により確実に補償される。
【００７４】
図６（ａ）、（ｂ）は、それぞれ、この第２実施形態の液晶表示素子による電界オン時での左右横視野方位及び上下縦視野方位の各視野方位における視角に対する光透過率の変化特性を前記第１実施形態と比較して示しており、これら両図から明らかなように、第２実施形態の液晶表示素子においては、左右横視野方位及び上下縦視野方位の各視野方位において、オン時における光透過率が視角に拘わらず略一定して最低レベルに維持されている。これは、上記第１実施形態の液晶表示素子による同透過率特性に比べても極めて安定して低い。
【００７５】
また、図７は、本実施形態の液晶表示素子における上下、左右の各視野方位毎の４５°視角での白色と２０％階調灰色及び５０％階調灰色の各色度をＣＩＥ色度図で示している。この図７から明らかなように、本実施形態の液晶表示素子の各視野方位毎の色相ズレは小さく抑えられている。
【００７６】
従って、この第２実施形態の液晶表示素子によれば、各視野方位毎の色相ズレが抑えられた高度なカラー表示品質が得られるという第１実施形態と同様に奏される良好な効果に加えて、全視野方位にわたりより高度なコントラストが略均等に得られて視野角が一層広げられるという有用な効果が奏される。
【００７７】
（第３実施形態）
本第３実施形態の液晶表示素子は、図８に示すように、第１実施形態の液晶表示素子の構造に加えて、後位相板５と後偏光板６との間に位相板１０を、更に追加して設置したものである。ここで、第１実施形態に設けられていた後位相板５を第１後位相板とし、追加設置された位相板１０を第２後位相板とする。なお、ホモジニアス液晶セル１のマルチギャップ構造は第１実施形態の構造と同じであり、赤、緑、青各画素のΔｎ・ｄは、２８０ｎｍ〜３６０ｎｍの範囲に設定されている。
【００７８】
追加設置された第２後位相板１０は、第１後位相板５と同じ二軸性位相板であり、緑色波長光に対する面内位相差が１３５ｎｍ±２０ｎｍで、その遅相軸１０ａを横方向１ｈに対して−４５°±５°で交差させて設置されている。従って、この遅相軸１０ａは、後偏光板６の透過軸６ａに直交し、液晶セル１の後水平配向膜に施された配向処理方向１９ａに対し＋４５°±５°で交差している。そして、この第２後位相板１０の互いに直交する３方向の屈折率ｎｘ、ｎｚ、ｎｙ及び波長光毎の屈折率異方性Δｎb 、Δｎg 、Δｎr は、第１後位相板５と同一に設定されている。
【００７９】
以上のように構成された本実施形態の液晶表示素子では、後偏光板６に隣接させて第２後位相板１０をその遅相軸１０ａを後偏光板６の透過軸６ａに直交させて配置したから、この第２後位相板１０では入射光のｚ方向の位相差が主に補償され、これにより、表示の正面特性に影響を及ぼすことなく、特に問題となる視角方位（本実施形態では６時方位）における中間階調での階調反転の発生がより一層確実に抑制される。
【００８０】
また、本実施形態の液晶表示素子は、第１実施形態の液晶表示素子の構成を備えているから、第１実施形態の液晶表示素子と同様に、各視野方位毎の色相ズレが顕著に小さく抑えられる。
【００８１】
図９は、本実施形態の液晶表示素子における上下、左右の各視野方位毎の４５°視角での白色と２０％階調の灰色及び５０％階調の各色度をＣＩＥ色度図で示している。この図９から明らかなように、本実施形態の液晶表示素子における各視野方位毎の色相ズレは、小さく抑えられている。
【００８２】
従って、本第３実施形態の液晶表示素子によれば、各視野方位毎の色相ズレが抑えられた高度なカラー表示品質が得られるという第１実施形態と同様に奏される良好な効果に加えて、視角方位における中間階調での階調反転の発生がより一層確実に抑制されるという有用な効果が奏される。
【００８３】
なお、第２後位相板１０は、その遅相軸１０ａを後偏光板６の透過軸６ａに平行にして設置してもよい。また、第２後位相板１０は、前位相板２と前偏光板３の間にその遅相軸１０ａを前偏光板３の透過軸３ａに平行または直交させて配置してもよい。さらに、前位相板２と前偏光板３の間及び後位相板５と後偏光板６の間の双方に、第２後位相板１０と同じ位相板を上述と同じ光学軸配置でそれぞれ配置してもよい。これら本第３実施形態の変形例によっても、奏される効果は変わらない。
【００８４】
本発明は、上記の第１乃至第３実施形態に限定されるものではない。例えば、第３実施形態は、第１実施形態の液晶表示素子に第２後位相板１０を追加配置した実施形態であるが、これに限らず、第２実施形態の液晶表示素子における前偏光板３と前位相板８間及び／又は後偏光板６と後位相板９間に、第３実施形態の第２後位相板１０と同一の位相板を同じ光学軸配置で設置してもよい。
【００８５】
また、第１乃至第３実施形態においては、前位相板として一軸性位相板を配置し、後位相板として二軸性位相板を配置したが、これに限らず、前位相板として二軸性位相板を配置し、後位相板として一軸性位相板を配置してもよく、また、前、後位相板を共に二軸性位相板或いは一軸性位相板としてもよい。
【００８６】
さらに、第１乃至第３実施形態においては光の入射側をホモジニアス液晶セルに対する後側として説明したが、第１乃至第３実施形態の構成は光の入射側が逆転しても、つまり例えば第１実施形態で前側偏光板３の方から光を入射させる構成としても、本発明の液晶表示素子として有効に成立し、同様の効果が奏される。
【００８７】
加えて、本発明は、カラーフィルタを設けたカラー液晶表示素子に限らず、モノクロ表示を行う液晶表示素子にも有効に適用できる。
【図面の簡単な説明】
【００８８】
【図１】（ａ）は本発明の第１実施形態としての液晶表示素子を示す分解平面図で、（ｂ）はそのオフ時における光学的作用を示す説明図、（ｃ）はオン時における光学的作用を示す説明図である。
【図２】上記液晶表示素子の内部構成を部分的に拡大して示す模式的断面図である。
【図３】視野方位毎の４５°視角での白色と２０％階調灰色及び５０％階調灰色の各色度を示す色度分布図で、（ａ）は上記液晶表示素子での、（ｂ）は比較例としての液晶表示素子での、それぞれの色度分布特性をそれぞれ示している。
【図４】上記液晶表示素子における各波長光毎の印加電圧に対する透過率の変化特性を示すグラフ図である。
【図５】本発明の第２実施形態としての液晶表示素子を示す分解平面図である。
【図６】第１実施形態と第２実施形態の各液晶表示素子におけるオン時の視角に対する透過率変化を示すグラフ図で、（ａ）は横方向の視角に対する透過率変化を、（ｂ）は縦方向の視角に対する透過率変化を、それぞれ示している。
【図７】第２実施形態の液晶表示素子における視野方位毎の４５°視角での白色と２０％階調灰色及び５０％階調灰色の各色度をＣＩＥ色度図で示す色度分布図である。
【図８】本発明の第３実施形態としての液晶表示素子を示す分解平面図である。
【図９】第３実施形態の液晶表示素子における視野方位毎の４５°視角での白色と２０％階調灰色及び５０％階調灰色の各色度をＣＩＥ色度図で示す色度分布図である。
【図１０】比較例の液晶表示素子を示す分解平面図である。
【符号の説明】
【００８９】
１、１０１                液晶セル
２、８                    前位相板
３、１０４                前偏光板
４、７、１０２、１０３    視野角補償フィルム
５、９、１０              後位相板
６、１０５                後偏光板
１１、１２                ガラス基板
１３                      ブラックマスク
１４R 、１４G 、１４B     赤、緑、青カラーフィルタ
１５                      共通電極
１６                      前水平配向膜
１７                      画素電極
１８                      薄膜トランジスタ
１９                      後水平配向膜
１００                    液晶層
【図１】
2006309192.tif 000003
【図２】
2006309192.tif 000004
【図３】
2006309192.tif 000005
【図４】
2006309192.tif 000006
【図５】
2006309192.tif 000007
【図６】
2006309192.tif 000008
【図７】
2006309192.tif 000009
【図８】
2006309192.tif 000010
【図９】
2006309192.tif 000011
【図１０】
2006309192.tif 000012